【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
再構築されたオーディオ信号に適用するためのフィルタリング係数のセットを計算するステップであって、
時間ドメインから周波数ドメインへの初期時間ドメイン値のセットの変換を実行するステップであって、該実行するステップによって、初期周波数ドメイン値のセットが生成される、初期時間ドメイン値のセットの変換を実行するステップと、
処理された周波数ドメイン値のセットを生成するために、前記初期周波数ドメイン値を使用して、１つまたは複数の周波数ドメイン計算を実行するステップと、
前記周波数ドメインから前記時間ドメインへの前記処理された周波数ドメイン値の変換を実行するステップであって、該実行するステップによって、処理された時間ドメイン値のセットが生成される、前記処理された周波数ドメイン値の変換を実行するステップと
を含む、該フィルタリング係数のセットを計算するステップと、
前記フィルタリング係数のセットを使用して、時間ドメイン内の前記再構築されたオーディオ信号の少なくとも一部をフィルタリングすることによって、フィルタリングされたオーディオ信号を生成するステップと
を備え、
前記処理された周波数ドメイン値のセットを生成するために、前記初期周波数ドメイン値を使用して、前記１つまたは複数の周波数ドメイン計算を実行するステップは、最大クリップ値を超える周波数ドメイン値のみがクリップされるように、前記周波数ドメイン内の周波数ドメイン値をクリップするステップを含む
ことを特徴とするコンピュータで実施する方法。
【請求項２】
前記フィルタリングされたオーディオ信号は、前記再構築されたオーディオ信号の周波数サブ帯域を表すことを特徴とする請求項１に記載の方法。
【請求項３】
前記フィルタリング係数のセットを計算するステップは、
前記初期時間ドメイン値の変換の前に、前記初期時間ドメイン値を、当該初期時間ドメイン値の変換のための長さまでパディングするステップと、
前記処理された周波数ドメイン値の変換の後に、前記時間ドメイン内の前記処理された時間ドメイン値のセットをトランケートするステップと
を含むことを特徴とする請求項１に記載の方法。
【請求項４】
前記フィルタリング係数のセットは、線形予測係数のセットを含むことを特徴とする請求項１に記載の方法。
【請求項５】
前記前記周波数ドメイン内の周波数ドメイン値をクリップするステップは、
最大値において前記線形予測係数のセットから導出されたスペクトルの上限を定めるステップ
を含むことを特徴とする請求項４に記載の方法。
【請求項６】
前記周波数ドメイン内の周波数ドメイン値をクリップするステップは、
前記線形予測係数のセットから導出されたスペクトルの領域を減少させるステップ
を含むことを特徴とする請求項４に記載の方法。
【請求項７】
前記線形予測係数のセットから導出されたスペクトルの領域を減少させるステップは、
前記スペクトル内の値を正規化するステップ
を含むことを特徴とする請求項６に記載の方法。
【請求項８】
前記線形予測係数は、複数帯域コーデックに対するものであり、
前記スペクトル内の値を正規化するステップは、単一帯域内の値を正規化するステップを含むことを特徴する請求項７に記載の方法。
【請求項９】
前記線形予測係数は、全帯域コーデックに対するものであり、
前記スペクトル内の値を正規化するステップは、前記全帯域の値を正規化するステップを含むことを特徴する請求項８に記載の方法。
【請求項１０】
前記線形予測係数のセットから導出されたスペクトルの領域を減少させるステップは、
前記スペクトル内の値に対する非線形圧縮を実行するステップ
を含むことを特徴とする請求項６に記載の方法。
【請求項１１】
１つまたは複数の周波数ドメインの前記計算は、対数ドメイン内の１つまたは複数の計算を含むことを特徴とする請求項１に記載の方法。
【請求項１２】
前記フィルタリングされたオーディオ信号は、複数の再構築された周波数サブ帯域信号を含み、前記複数の再構築された周波数サブ帯域信号は、第１の周波数帯域に関する再構築された第１の周波数サブ帯域信号と、第２の周波数帯域に関する再構築された第２の周波数サブ帯域信号とを含み、
前記方法は、
前記第１の周波数帯域と前記第２の周波数帯域との交差部分付近の周波数領域で、選択的に前記フィルタリングされたオーディオ信号を拡張するステップであって、当該フィルタリングされたオーディオ信号を拡張するステップは、帯域通過フィルタを介して、前記フィルタリングされたオーディオ信号を渡すステップを含み、前記帯域通過フィルタの通過帯域は、前記第１の周波数帯域と前記第２の周波数帯域との前記交差部分付近の前記周波数領域に対応する、前記フィルタリングされたオーディオ信号を拡張するステップ
をさらに備えることを特徴とする請求項１に記載の方法。
【請求項１３】
１つまたは複数の山と、１つまたは複数の谷とを表す周波数ドメイン内の値のセットを処理するステップを含む、再構築されたオーディオ信号に適用するためのフィルタリング係数のセットを生成するステップであって、前記周波数ドメイン内の値のセットを処理するステップは、前記１つまたは複数の山または前記１つまたは複数の谷のうちの１つまたは複数をクリッピングするステップを含み、前記クリッピングするステップは、最大クリップ値を超える値をクリップ値に設定し、最大クリップ値を超えない値は維持することによって、前記周波数ドメイン内の値のセットを当該最大クリップ値に定めるステップを含む、フィルタリング係数のセットを生成するステップと、
前記フィルタリング係数を使用して、前記再構築されたオーディオ信号の少なくとも一部をフィルタリングするステップと
を備えることを特徴とする方法。
【請求項１４】
前記フィルタリング係数のセットを生成するステップは、
前記周波数ドメイン内の値のセットの平均の関数として、前記最大クリップ値を計算するステップ
をさらに含むことを特徴とする請求項１３に記載の方法。
【請求項１５】
前記周波数ドメイン内の値のセットは、線形予測係数値のセットの少なくとも一部に基づくことを特徴とする請求項１３に記載の方法。
【請求項１６】
前記クリッピングするステップは、前記周波数ドメイン内で実行されることを特徴とする請求項１３に記載の方法。
【請求項１７】
前記フィルタリングするステップは、時間ドメイン内で実行されることを特徴とする請求項１３に記載の方法。
【請求項１８】
前記クリッピングするステップの前に、前記周波数ドメイン内の値のセットの領域を減少させるステップ
をさらに備えることを特徴とする請求項１３に記載の方法。
【請求項１９】
前記クリッピングするステップの前に、前記周波数ドメイン内の値のセットの領域を減少させるステップは、
前記周波数ドメイン内の値を正規化するステップ
を含むことを特徴とする請求項１８に記載の方法。
【請求項２０】
前記クリッピングするステップの前に、前記周波数ドメイン内の値のセットの領域を減少させるステップは、
前記周波数ドメイン内の値に対する非線形圧縮を実行するステップ
を含むことを特徴とする請求項１８に記載の方法。
【請求項２１】
前記周波数ドメイン内の値のセットを最大クリップ値に定めるステップは、
対数ドメイン内の１つまたは複数の計算を実行するステップ
を含むことを特徴とする請求項１３に記載の方法。
【請求項２２】
複数の再構築された周波数サブ帯域信号から合成された再構築された合成信号を受信するステップであって、前記複数の再構築された周波数サブ帯域信号は、第１の周波数帯域に関する再構築された第１の周波数サブ帯域信号と、第２の周波数帯域に関する再構築された第２の周波数サブ帯域信号とを含む、受信するステップと、
前記周波数領域内の信号エネルギを増加させるステップを含む、前記第１の周波数帯域と前記第２の周波数帯域との交差部分付近の周波数領域で、選択的に前記再構築された合成信号を拡張するステップと
をさらに備えることを特徴とする請求項１３に記載の方法。
【請求項２３】
複数の再構築された周波数サブ帯域信号から合成された再構築された合成信号を受信するステップであって、前記複数の再構築された周波数サブ帯域信号は、第１の周波数帯域に関する再構築された第１の周波数サブ帯域信号と、第２の周波数帯域に関する再構築された第２の周波数サブ帯域信号とを含む、受信するステップと、
帯域通過フィルタを介して前記再構築された合成信号を渡すステップを含む、前記第１の周波数帯域と前記第２の周波数帯域との交差部分付近の周波数領域で、選択的に前記再構築された合成信号を拡張するステップであって、前記帯域通過フィルタの通過帯域は、前記第１の周波数帯域と前記第２の周波数帯域との前記交差部分付近の前記周波数領域に対応する、前記再構築された合成信号を拡張するステップと
を備えることを特徴とするコンピュータで実施する方法。
【請求項２４】
前記複数の再構築された周波数サブ帯域信号を生成するために、符号化された情報をデコードするステップと、
前記再構築された合成信号を生成するために、前記複数の再構築された周波数サブ帯域信号を合成するステップと
をさらに備えることを特徴とする請求項２３に記載の方法。
【請求項２５】
前記帯域通過フィルタは、高域通過フィルタと低域通過フィルタとを直列に含むことを特徴とする請求項２３に記載の方法。
【請求項２６】
前記帯域通過フィルタは、１つまたは複数の停止帯域で、前記通過帯域での一致利得よりも大きい一致利得を有することを特徴とする請求項２３に記載の方法。
【請求項２７】
前記拡張するステップは、
前記周波数領域内の信号エネルギを増加させるステップ
を含むことを特徴とする請求項２３に記載の方法。
【請求項２８】
１つまたは複数の山と、１つまたは複数の谷とを表す係数値のセットを処理するステップを含む、再構築されたオーディオ信号に適用するためのフィルタリング係数のセットを生成するステップであって、前記係数値のセットを処理するステップは、最大クリップ値を超える係数値のみがクリップされるように、前記１つまたは複数の山、または前記１つまたは複数の谷のうちの１つまたは複数をクリッピングするステップを含み、前記係数値のセットは、線形予測係数値のセットの少なくとも一部に基づくものである、フィルタリング係数のセットを生成するステップと、
前記フィルタリング係数を使用して、前記再構築されたオーディオ信号の少なくとも一部をフィルタリングするステップと
を備えることを特徴とする方法。
【請求項２９】
１つまたは複数の山と、１つまたは複数の谷とを表す係数値のセットを処理するステップを含む、再構築されたオーディオ信号に適用するためのフィルタリング係数のセットを生成するステップであって、前記係数値のセットを処理するステップは、最大クリップ値を超える係数値のみがクリップされるように、前記１つまたは複数の山、または前記１つまたは複数の谷のうちの１つまたは複数をクリッピングするステップを含み、当該クリッピングするステップは、周波数ドメイン内で実行される、フィルタリング係数のセットを生成するステップと、
前記フィルタリング係数を使用して、前記再構築されたオーディオ信号の少なくとも一部をフィルタリングするステップと
を備えることを特徴とする方法。
【請求項３０】
１つまたは複数の山と、１つまたは複数の谷とを表す係数値のセットを処理するステップを含む、再構築されたオーディオ信号に適用するためのフィルタリング係数のセットを生成するステップであって、前記係数値のセットを処理するステップは、最大クリップ値を超える係数値のみがクリップされるように、前記１つまたは複数の山、または前記１つまたは複数の谷のうちの１つまたは複数をクリッピングするステップを含む、フィルタリング係数のセットを生成するステップと、
時間ドメイン内で実行されるステップであって、前記フィルタリング係数を使用して、前記再構築されたオーディオ信号の少なくとも一部をフィルタリングするステップと
を備えることを特徴とする方法。
【請求項３１】
１つまたは複数の山と、１つまたは複数の谷とを表す係数値のセットを処理するステップを含む、再構築されたオーディオ信号に適用するためのフィルタリング係数のセットを生成するステップであって、前記係数値のセットを処理するステップは、
前記係数値のセットの領域を減少させるステップと、
最大クリップ値を超える係数値のみがクリップされるように、前記１つまたは複数の山、または前記１つまたは複数の谷のうちの１つまたは複数をクリッピングするステップと
を含む、フィルタリング係数のセットを生成するステップと、
時間ドメイン内で実行されるステップであって、前記フィルタリング係数を使用して、前記再構築されたオーディオ信号の少なくとも一部をフィルタリングするステップと
を備えることを特徴とする方法。